(57)【要約】      （修正有）【課題】耳垢を容易に掻き出して除去することができ、未使用の際には胴体部をハウジング内の空間部に収容することにより、ウィング部の損傷を防止し、衛生的で容易な保管が可能な耳垢除去装置を提供する。【解決手段】内部に所定の空間部が形成されたハウジング１００と、空間部に収納され、棒状に形成された胴体部２００と、胴体部の一端に折畳可能に形成され、一つ以上のウィングを含むウィング部２１０とを含み、前記ハウジングの内部空間部に収納された胴体部を前方に移動させたとき、胴体部の一端がハウジングの外部に露出されるとともにウィング部が広がり、胴体部を後方に移動させるとき、胴体部の一端がハウジングの空間部に収納されるとともに広がっていたウィング部が折り畳まれる。【選択図】図２
0003232388.tif 000002
【実用新案登録請求の範囲】
【請求項１】
内部に所定の空間部が形成されたハウジングと、空間部に収納され、棒状に形成された胴体部と、胴体部の一端に折畳可能に形成され、一つ以上のウィングを含むウィング部とを含み、
前記ハウジングの内部空間部に収納された胴体部を前方に移動させたとき、胴体部の一端がハウジングの外部に露出されるとともにウィング部が広がり、胴体部を後方に移動させるとき、胴体部の一端がハウジングの空間部に収納されるとともに広がっていたウィング部が折り畳まれる、耳垢除去装置。
【請求項２】
胴体部は円筒状形状を有し、前面、背面及び前面と背面を連結する側面からなり、前記胴体部を前方又は後方に移動させる押圧モジュールをさらに含む、請求項１に記載の耳垢除去装置。
【請求項３】
前記押圧モジュールは、前記胴体部の他端に螺旋溝が外周面に形成された螺旋軸部と、前記ハウジングの他端部に回転可能に結合され、外周面に螺糸山が形成され、螺旋軸部と螺合される円筒状の回転部材と、ハウジングの内部には回転部材が回転可能に結合支持される内周面が円形に形成された回転支持部と、前記回転支持部の前方に位置し、前記胴体部が挿入され、胴体部の断面形状に対応するように内周面が形成された挿入部とを含み、
前記回転部材は、前記ハウジングの回転支持部の内部に回転可能に結合支持される第１結合部と、前記第１結合部より小さな直径を有し、第１結合部の一端からハウジングの前方に一体に延設され、内面には回転突起が形成された第２結合部と、前記第２結合部と反対方向の第１結合部の他端からハウジングの後方に一体に延設される回転操作部とを含み、
前記胴体部と回転部材が螺合した状態で、回転部材を時計方向又は反時計方向に回転させることにより、胴体部がハウジングの前方に前進するのに従い、ハウジング内に収納されたウィング部が引き出されるか、回転部材を反時計方向又は時計方向に回転させることにより、胴体部がハウジングの後方に後進するのに従い、広がっていたウィング部がハウジング内に収納されながら折り畳まれる、請求項２に記載の耳垢除去装置。
【請求項４】
前記押圧モジュールは、ハウジングの内部に収納され、一端が胴体部の一面に接するように挿入される弾性スプリングと、弾性スプリングの他端が接するように備えられ、弾性スプリングを押圧する押圧部と、胴体部の外周面に長手方向に離隔して突出する二つの係止突起と、ハウジングの内側面に長手方向に離隔して凹設され、係止突起の形状に対応する形状を有する複数の凹溝とを含み、前記係止突起はハウジングの後方に形成された面が一定角度を有する傾斜面であり、
押圧部が弾性スプリングを押圧するとき、前記弾性スプリングの弾性力によって胴体部が前方に移動し、係止突起が前記凹溝に挿入されることにより、胴体部の位置が前方に移動した状態で動けないようになり、ついで押圧部が弾性スプリングを再び押圧するとき、係止突起が凹溝で離脱し、前記弾性スプリングの復元力によって胴体部が後方に移動するハウジング内に収納されたウィング部が引き出される、請求項２に記載の耳垢除去装置。
【請求項５】
前記ハウジングは前部と後部が開口したパイプ形状を有し、ハウジングの長さは胴体部の長さより短く形成され、ハウジングの内側面に形成される一つ以上の凹溝と、前記凹溝に対応する形状を有し、胴体部の外周面に形成される一つ以上の係止突起とを含む、請求項１に記載の耳垢除去装置。
【請求項６】
ウィングの他端部には掃除用綿がウィングの他端部を包むように形成される、請求項２〜４のいずれか一項に記載の耳垢除去装置。
【考案の詳細な説明】
【技術分野】
【０００１】
本考案は耳垢除去装置に関するもので、より詳しくは乾性耳垢、脂性耳垢などを安全で効果的に除去することができる耳垢除去装置に関するものである。
【背景技術】
【０００２】
耳垢除去に使われる伝統的な形態の耳掻き及び綿棒又はそれと類似した耳垢除去道具は、一般的に細密な力調節能力が相対的に劣る高齢者及び子供の場合、道具の操作間違いによって道具を必要以上に深く挿入して鼓膜の損傷や穿孔を引き起こすことがあり、耳垢をきれいに除去するために耳掻き及び綿棒で内耳の皮膚表面に無理な力を加えて皮膚の傷や炎症が発生することがある。また、耳垢を耳内から取り外すために綿棒又は指で内耳を擦る場合、微細な粉末の耳垢が発生する問題点がある。
【０００３】
このような問題点を解決するために、従来の韓国特許第１０−２０１６−００７０５８６号公報によると、吸入管を通して内耳の耳垢を吸入して外に引き取る内耳掃除機を提供する。図１に示すように、円筒の中間に互いに連結されたモーター２０’とファン２２’が内装されており、中間部分に所定の通気孔１２’が形成され、前方入口の内側にフィルター２６’が挿入されたボディー１０’と、前記ボディー１０’の後部に乾電池２４’が挿入され、作動スイッチ１６’が備えられた取っ手１４’と、前記ボディー１０’の前部に螺合され、内部に空間部３４’が形成され、前方に行くほど狭くなる管であって、外側端部には所定の突起３２’が形成された吸入管３０’とを含み、一人でも耳垢を除去することができるようにするブルートゥース（登録商標）４０’が備えられ、耳の中がよく見えるように照明４１’が備えられている。
【０００４】
しかし、従来技術の内耳掃除機の構造によれば、駆動のために乾電池を挿入して電気を供給しなければならないので、維持費用が増加し、その構造が複雑であって製品生産が容易でないだけでなく、吸入管を通して耳垢を吸入するときに過度な吸入力が発生する場合、鼓膜の損傷が発生することがある。
【先行技術文献】
【特許文献】
【０００５】
【特許文献１】韓国特許第１０−２０１６−００７０５８６号公報
【考案の概要】
【考案が解決しようとする課題】
【０００６】
本考案は押圧によってハウジング内に収容されたウィング部が引き出されるとともに広がることにより、無理な力を加えなくてもウィング部を用いて耳垢を掻き出すことはもちろんのこと、簡単な使い方で内耳を容易に掃除することができ、未使用の際には胴体部をハウジング内に収納して保管することにより、ウィング部の損傷を防止し、衛生的な管理が可能な耳垢除去装置を提供することにその目的がある。
【０００７】
また、簡単な構造で製品の生産時間及びコストを節減することができる耳垢除去装置を提供することに他の目的がある。
【課題を解決するための手段】
【０００８】
目的を達成するために、本考案は、内部に所定の空間部が形成されたハウジングと、空間部に収納され、棒状に形成された胴体部と、胴体部の一端に折畳可能に形成され、一つ以上のウィングを含むウィング部とを含み、前記ハウジングの内部空間部に収納された胴体部を前方に移動させたとき、胴体部の一端がハウジングの外部に露出されるとともにウィング部が広がり、胴体部を後方に移動させるとき、胴体部の一端がハウジングの空間部に収納されるとともに広がっていたウィング部が折り畳まれる耳垢除去装置を提供する。
【０００９】
本考案の実施例によれば、胴体部は円筒状形状を有し、前面、背面及び前面と背面を連結する側面からなり、前記胴体部を前方又は後方に移動させる押圧モジュールをさらに含むことができる。
【００１０】
第１実施例の一例として、前記押圧モジュールは、前記胴体部の他端に螺旋溝が外周面に形成された螺旋軸部と、前記ハウジングの他端部に回転可能に結合され、外周面に螺糸山が形成され、螺旋軸部と螺合される円筒状の回転部材と、ハウジングの内部には回転部材が回転可能に結合支持される内周面が円形に形成された回転支持部と、前記回転支持部の前方に位置し、前記胴体部が挿入され、胴体部の断面形状に対応するように内周面が形成された挿入部とを含むことができ、前記回転部材は、前記ハウジングの回転支持部の内部に回転可能に結合支持される第１結合部と、前記第１結合部より小さな直径を有し、第１結合部の一端からハウジングの前方に一体に延設され、内面には回転突起が形成された第２結合部と、前記第２結合部と反対方向の第１結合部の他端からハウジングの後方に一体に延設される回転操作部とを含むことができ、前記胴体部と回転部材が螺合した状態で、回転部材を時計方向又は反時計方向に回転させることにより、胴体部がハウジングの前方に前進するのに従い、ハウジング内に収納されたウィング部が引き出されるか、回転部材を反時計方向又は時計方向に回転させることにより、胴体部がハウジングの後方に後進するのに従い、広がっていたウィング部がハウジング内に収納されながら折り畳まれることができる。
【００１１】
第１実施例の他の例として、前記押圧モジュールは、ハウジングの内部に収納され、一端が胴体部の一面に接するように挿入される弾性スプリングと、弾性スプリングの他端が接するように備えられ、弾性スプリングを押圧する押圧部と、胴体部の外周面に長手方向に離隔して突出する二つの係止突起と、ハウジングの内側面に長手方向に離隔して凹設され、係止突起の形状に対応する形状を有する複数の凹溝とを含み、前記係止突起はハウジングの後方に形成された面が一定角度を有する傾斜面であり、押圧部が弾性スプリングを押圧するとき、前記弾性スプリングの弾性力によって胴体部が前方に移動し、係止突起が前記凹溝に挿入されることにより、胴体部の位置が前方に移動した状態で動けないようになり、ついで押圧部が弾性スプリングを再び押圧するとき、係止突起が凹溝で離脱し、前記弾性スプリングの復元力によって胴体部が後方に移動するハウジング内に収納されたウィング部が引き出されることができる。
【００１２】
また、本考案の他の実施例によれば、前記ハウジングは前部と後部が開口したパイプ形状を有し、ハウジングの長さは胴体部の長さより短く形成され、ハウジングの内側面に形成される一つ以上の凹溝と、前記凹溝に対応する形状を有し、胴体部の外周面に形成される一つ以上の係止突起とを含むことができる。
【００１３】
また、ウィングの他端部には掃除用綿がウィングの他端部を包むように形成されることができる。
【考案の効果】
【００１４】
本考案によれば、ハウジング内から胴体部を少し引き出して、胴体部の一端に形成されたウィング部が広がるようにした状態で、ウィング部を用いて安全で容易に耳垢を掻き出すことができるだけでなく、未使用の際に胴体部をハウジングの内部空間に収容して保管することにより、衛生的な管理が可能であり、保管が容易である効果がある。
【図面の簡単な説明】
【００１５】
【図１】従来技術の内耳掃除機の形状を示す図である。
【図２】本考案の耳垢除去装置の形状を概略的に示す側面図である。
【図３】本考案の第１実施例による押圧モジュールの形状を詳細に示す分解斜視図及び断面図である。
【図４】本考案の第１実施例による耳垢除去装置の使用状態を示す使用状態図である。
【図５】本考案の第２実施例による押圧モジュールの形状を示す断面図である。
【図６】本考案のさらに他の実施例による押圧モジュールの形状を示す側面図である。
【考案を実施するための形態】
【００１６】
以下、本考案の好適な実施例を添付図面に基づいて説明する。ここで、図面に示した線の厚さや構成要素の大きさなどは説明の明瞭性及び便宜性のために誇張して示しているものがあり得る。
【００１７】
また、後述する用語は本考案での機能を考慮して定義された用語であり、これは使用者、運用者の意図又は慣例によって変わることができる。したがって、このような用語に対する定義はこの明細書全般にわたる内容に基づいて決定されなければならないであろう。
【００１８】
また、以下の実施例は本考案の権利範囲を限定するものではなく、本考案の請求範囲に提示する構成要素の例示的な事項に過ぎなく、本考案の明細書全般にわたる技術思想に含まれ、請求範囲の構成要素のうち均等物に置換可能な構成要素を含む実施例は本考案の権利範囲に属することができる。
【００１９】
図２は本考案の耳垢除去装置の形状を概略的に示す側面図である。
【００２０】
図２の（ａ）を参照すると、内部に所定の空間部が形成されたハウジング１００と、空間部に収納され、棒状に形成された胴体部２００と、胴体部２００の一端に折畳可能に形成され、一つ以上のウィングを含むウィング部２１０とを含み、ハウジング１００の内部空間部に収納された胴体部２００を前方に移動させたとき、胴体部２００の一端がハウジング１００の外部に露出されるとともにウィング部２１０が広がり、胴体部２００を後方に移動させるとき、胴体部２００の一端がハウジング１００の空間部に収納されるとともに、広がっていたウィング部２１０が折り畳まれる。胴体部２００はハウジング１００の長手方向に延びた形状を有するようにハウジング１００内に収納される。胴体部２００の外径はハウジング１００の内径より小さく形成されることが好ましい。また、ウィング部は弾性力を有する素材からなることが好ましい。
【００２１】
図２（ａ）の基本構造に基づいて本考案の第１実施例を図２の（ｂ）を参照して説明すれば、胴体部２００は、円筒状を有し、前部で開口するように形成される前面２０１と、前部と反対方向の後部に形成される背面２０２と、前面と背面を連結する側面２０３とからなり、胴体部２００を前方又は後方に移動させる押圧モジュール３００をさらに含む。押圧モジュール３００によって胴体部２００を前方に移動させたとき、ウィング部２１０がハウジング１００の外部に露出されるとともに広がり、押圧モジュール３００によって胴体部２００を後方に移動させるとき、胴体部２００の一端がハウジング１００の空間部に収納されるとともに、広がっていたウィング部２１０が折り畳まれる。前述した構造によれば、本考案の耳垢除去装置は、胴体部２００の前後方への移動によってウィング部２１０が広がるか折り畳まれるので、使用が非常に容易である。また、構造が簡単であって製品の生産コスト及び生産時間を節減することができ、広がった状態のウィング部２１０を用いて、無理な力を加えなくても容易で早く耳垢を掻き出すことができ、内耳に挿入された胴体部２００が一定深さ以上に入ることを防止することができる。
【００２２】
図３は本考案の第１実施例による押圧モジュールの形状を詳細に示す分解斜視図及び断面図である。
【００２３】
図３の（ａ）を参照すると、押圧モジュール３００は、胴体部２００の他端に螺旋溝３１１が外周面に形成された螺旋軸部３１０と、ハウジング１００の他端部に回転可能に結合され、外周面に螺糸山３２１が形成され、螺旋軸部３１０と螺合される円筒状の回転部材３２０と、ハウジング１００の内部に回転部材３２０が回転可能に結合支持される内周面が円形に形成された回転支持部３３０と、回転支持部の前方に位置し、胴体部２００が挿入され、胴体部２００の断面形状に対応するように内周面が形成された挿入部３４０とを含む。また、回転部材３２０は、ハウジング１００の回転支持部の内部に回転可能に結合支持される第１結合部３２０ａと、第１結合部３２０ａより小さな直径を有し、第１結合部３２０ａの一端からハウジング１００の前方に一体に延設され、内面には回転突起が形成された第２結合部３２０ｂと、第２結合部３２０ｂと反対方向の第１結合部３２０ａの他端からハウジング１００の後方に一体に延設される回転操作部３２０ｃとを含む。
【００２４】
図３の（ｂ）を参照すると、必要に応じて、ハウジング１００の回転支持部と回転部材３２０の第１結合部３２０ａとの間には、ハウジング１００と回転部材３２０がうまく相対回転運動するようにする回転補助部材１０をさらに備えることができ、回転補助部材はベアリング又は潤滑性に優れたリング形状のパッキングを含む。また、回転補助部材は表面に別途の滑剤が塗布されてなることも可能である。
【００２５】
図４は本考案の第１実施例による耳垢除去装置の使用状態を示す図である。
【００２６】
図４を参照すると、本考案の第１実施例による耳垢除去装置は、胴体部２００と回転部材３２０が螺合した状態で、回転部材３２０を時計方向又は反時計方向に回転させることにより、胴体部２００がハウジング１００の前方に前進するのに従い、ハウジング１００内に収納されたウィング部２１０が引き出される。使用者は引き出されたウィング部２１０を用いて耳垢を容易に掻き出すことができ、未使用の際には回転部材３２０を反時計方向又は時計方向に回転させると、胴体部２００がハウジング１００の後方に後進するのに従い、広がっていたウィング部２１０がハウジング１００内に収納されながら折り畳まれる。
【００２７】
前述した構造によれば、内耳に挿入される胴体部２００の一端部がハウジング１００内に収納された状態で保管されるので、衛生的に管理することができ、携帯が容易であり、ウィング部２１０の損傷を防止することができる。
【００２８】
図５は本考案の第２実施例による押圧モジュールの形状を示す断面図である。
【００２９】
押圧モジュール３００は、ハウジング１００の内部に収納され、一端が胴体部２００の一面に接するように挿入される弾性スプリング３５０と、弾性スプリングの他端が接するように備えられ、弾性スプリングを押圧する押圧部３６０と、胴体部２００の外周面に長手方向に離隔して突出する二つの係止突起３７０と、ハウジング１００の内側面に長手方向に離隔して凹設され、係止突起３７０の形状に対応する形状を有する複数の凹溝３８０とを含む。
【００３０】
係止突起３７０はハウジング１００の後部に形成された面が一定角度を有する傾斜面であり、押圧部３６０が弾性スプリングを押圧するとき、弾性スプリング３５０の弾性力によって胴体部２００が前方に移動し、係止突起３７０が凹溝３８０に挿入されることにより、胴体部２００の位置が前方に移動した状態で動けないようにすることができ、ついで押圧部３６０が弾性スプリングを再び押圧するとき、係止突起３７０が凹溝３８０から離脱し、弾性スプリング３５０の復元力によって、後方に移動するハウジング１００内に収納されたウィング部２１０が引き出される。
【００３１】
図６は本考案のさらに他の実施例による押圧モジュール３００の形状を示す側面図である。
【００３２】
図６を参照すると、ハウジング１００は前部と後部が開口したパイプ形状を有し、ハウジング１００の長さは胴体部２００の長さより短く形成されることができる。
【００３３】
さらに、ハウジングの内側面に形成される一つ以上の凹溝３８０と、凹溝に対応する形状を有し、胴体部の外周面に形成される一つ以上の係止突起３７０とを含むことにより、胴体部を前後方に移動させるとき、胴体部の位置を固定する。
【００３４】
また、ウィングの他端部には掃除用綿２０がウィングの他端部を包むように形成されることにより、ウィング部が内耳の皮膚表面を刺激して傷や炎症が発生することを防止することができる。
【００３５】
以上で本考案を具体的な実施例に基づいて詳細に説明したが、これは本考案を具体的に説明するためのものであり、本考案はこれに限定されなく、本考案の技術的思想内で当該分野の通常の知識を有する者によってその変形や改良が可能であるというのは明らかであろう。
【００３６】
本考案の単純な変形乃至変更はいずれも本考案の範疇に属するものであり、本考案の具体的な保護範囲は添付の特許請求範囲によって明らかになるであろう。
【符号の説明】
【００３７】
１０      回転補助部材
２０      掃除用綿
１００    ハウジング
２００    胴体部
２１０    ウィング部
３００    押圧モジュール
３１０    螺旋軸部
３１１    螺旋溝
３２０    回転部材
３２０ａ  第１結合部
３２０ｂ  第２結合部
３２０ｃ  回転操作部
３２１    螺糸山
３３０    回転支持部
３４０    挿入部
３５０    弾性スプリング
３６０    押圧部
３７０    係止突起
３８０    凹溝
【図１】
0003232388.tif 000003
【図２】
0003232388.tif 000004
【図３】
0003232388.tif 000005
【図４】
0003232388.tif 000006
【図５】
0003232388.tif 000007
【図６】
0003232388.tif 000008